(57)【要約】【課題】光増幅器の入力側においても反射戻り光を監視することによって局舎内での反射の有無を確認できるようにし、信号品質に影響を与える多重反射要因を排除する光増幅装置おび同装置を用いた光伝送装置を提供する。【解決手段】光増幅装置１０は、入力信号光を増幅する光増幅器１１と、光増幅器１１の入力信号光を監視して反射点による戻り光を検出する入力側反射光モニタ回路２０と、を備え、光増幅器１１の出力側のみならず入力側でも反射戻り光を監視する構成とした。【選択図】図１<
2010238959.tif 000002
【特許請求の範囲】
【請求項１】
入力信号光を増幅する光増幅器と、
前記光増幅器の入力部に繋がれた光伝送路での反射点による戻り光を検出する入力側反射光モニタ回路と、
を備えたことを特徴とする光増幅装置。
【請求項２】
前記入力側反射光モニタ回路は、
発光部と、
前記発光部から入射した信号光の反射戻り光を分岐する分岐部と、
前記分岐された反射戻り光を検出する戻り光検出部と、
前記入力信号光を前記光増幅器に出力するか、前記分岐部に出力するかを切り替える光スイッチ部と、
を含むことを特徴とする請求項１に記載の光増幅装置。
【請求項３】
入力信号光を所定のレベルに増幅して出力する第１の光増幅装置と、
前記光増幅器の出力信号光を外線伝送路に繋がる光ファイバーケーブルに接続する第１の光コネクタ部と、
前記外線伝送路が接続された第２の光コネクタ部と、
前記第２の光コネクタ部から光ファイバーケーブル経由で光増幅器に供給される入力信号光を監視して反射点による戻り光を検出する第２の光増幅装置と、
を備えたことを特徴とする光伝送装置。
【発明の詳細な説明】
【技術分野】
【０００１】
本発明は、光増幅装置および同装置を用いた光伝送装置に関し、特に、光伝送路において多重反射に起因して発生する信号品質劣化を抑制する技術に関する。
【背景技術】
【０００２】
一般的な光増幅装置の構成について図３を用いて説明する。図３を参照すると、光増幅装置３０は、入力側光コネクタ３７と、光増幅器３１と、光カプラ３２と、ＰＤ（Photo Diode）からなる反射モニタ３３と、出力側光コネクタ３４と、により構成される。
【０００３】
上述した構成において、光コネクタ３７を介して入射される入力信号光は光増幅器３１で所定のレベルの電気信号に変換され、光コネクタ３４を介して外部へ出力される。また、光増幅器３１の出力を光カプラ３２で分岐することで、反射モニタ３３で反射戻り光を監視していた。
【０００４】
また、特許文献１には、入力信号光を光ファイバーケーブルから直接得るように構成することで、入力信号光波長数情報を送るための電気信号インタフェースを不要とし、かつ、入力信号光波長数情報と実際の入力信号光波長数情報とのずれによる光出力パワーの変動を防止する技術が提案されている。
【先行技術文献】
【特許文献】
【０００５】
【特許文献１】特開平１０−２４２９１６号公報
【発明の概要】
【発明が解決しようとする課題】
【０００６】
しかしながら、上述した光増幅装置３０では、光増幅器３１の入力段で反射戻り光を検出する手段をもたないため、光増幅器３１の入力側での反射点の有無を確認できないという課題があった。特許文献１においても同様である。
【０００７】
光伝送装置において、伝送路中に反射点が複数存在する場合、信号光の多重反射が発生し、偏波状態によって信号品質に影響を与えることがある。そのため、反射点は無くす必要があり、これまで、外線伝送路では、ＯＴＤＲ（Optical Time Domain Reflectometer）測定器を用いて反射点の有無を確認していた。
【０００８】
しかしながら、光伝送装置の入出力端（一般的に光増幅器の入出力端と同一）から外線伝送路を引きこんで、局舎内との接点となる、例えば、ＦＤＰ：Fiber Distribution Panel）等の光コネクタ部までの反射点の有無については、ＯＴＤＲ測定は行われず、このため、十分な管理がなされていなかった。
【０００９】
上述したように、光増幅器を用いた光伝送装置は、光増幅器の出力側で安全面の観点から、出力側光コネクタが開放状態になったことを検出するために反射戻り光をモニタしており、その機能を用いて反射戻り光のレベル監視が可能であった。しかしながら、光増幅部の入力側にはその機能が無く、監視ができない状況にあった。
【００１０】
昨今、伝送量の大容量化に伴い、波長多重光伝送を用いた場合、多重反射が存在すると、複数波長の信号品質に影響を与えることになる。また、一般的な波長多重光伝送装置の運用方法として、初期運用は少数波長で、需要に応じて波長増設していくため、初期運用波長では偏波状態により信号品質に影響を与えず、波長追加した際に、影響が出てくるケースがある。その場合、既運用信号光の運用を停止し、反射原因の除去を行わなければならず、サービス停止、作業コスト等の大きな損失が生じることになる。そのため、運用前に、反射点の無い伝送路の準備と、局内の光ファイバ接続工事を行う必要がある。
【００１１】
（発明の目的）
本発明の目的は、光増幅器の入力側においても反射戻り光を監視することによって局舎内での反射の有無を確認できるようにし、信号品質に影響を与える多重反射要因を排除する光増幅装置おび同装置を用いた光伝送装置を提供することにある。
【課題を解決するための手段】
【００１２】
本発明の第１の光増幅装置は、入力信号光を増幅する光増幅器と、前記光増幅器の入力信号光を監視して反射点による戻り光を検出する入力側反射モニタと、を含む。
【００１３】
本発明の第２の光伝送装置は、入力信号光を所定のレベルに増幅して出力する第１の光増幅装置と、前記光増幅器の出力信号光を外線伝送路に繋がる光ファイバーケーブルに接続する第１の光コネクタと、前記外線伝送路が接続された第２の光コネクタと、前記第２の光コネクタから光ファイバーケーブル経由で光増幅器に供給される入力信号光を監視して反射点による戻り光を検出する第２の光増幅装置と、を含む。
【発明の効果】
【００１４】
本発明によれば、光増幅器の入力側でも反射戻り光を監視することによって局舎内での反射の有無を確認できるようにし、信号品質に影響を与える多重反射要因を排除する光増幅装置おび同装置を用いた光伝送装置を提供することができる。
【００１５】
その理由は、入力側反射モニタが、光増幅器の入力信号光を監視して反射点による戻り光を検出するからである。
【図面の簡単な説明】
【００１６】
【図１】本発明の第１の実施の形態による光増幅装置の構成を示すブロック図である。
【図２】本発明の第１の実施の形態による光伝送装置の構成例を示す図である。
【図３】一般的な光増幅装置の構成を示すブロック図である。
【発明を実施するための形態】
【００１７】
次に、本発明の実施の形態について図面を参照して詳細に説明する。
【００１８】
（第１の実施の形態の光増幅装置の構成）
図１は、本発明の第１の実施の形態による光増幅装置１０の構成を示すブロック図である。
【００１９】
図１を参照すると、本実施の形態による光増幅装置１０は、光増幅器１１と、光カプラ１２と、反射光モニタ１４と、光コネクタ１７と、からなるこれまでの構成に、ＬＤ１５、光スイッチ１６、光モニタ１８、光カプラ１９からなる入力側反射光モニタ回路２０を含む構成になっている。
【００２０】
（第１の実施の形態の光増幅装置の動作）
光増幅器１１は、光コネクタ１７から入射される入力信号光は、光スイッチ１６を介して光増幅器１１により所望のレベルにまで増幅する。増幅された信号光は、光カプラ１２を介して光コネクタ１４から出力される。光カプラ１２は、光増幅器１１からの出力される信号光が、光コネクタ１４もしくはその先の何らかの反射点により戻ってきた反射戻り光を分岐する。反射光モニタ１３は、光カプラ１２により分岐された反射戻りの光のレベルをＯＥ（光−電気）変換することにより光の強度を電気信号レベルとして監視する。
【００２１】
光コネクタ１４は、光増幅器１１から信号光を、不図示の外線伝送路に繋がる光ファイバーケーブルに接続される。ＬＤ１５は、光増幅器１１の信号光入力部で入力信号光とは逆方向に光を出力する。光スイッチ１６は、入射される入力信号光を光増幅器１１に入力するか、ＬＤ１５からの光出力を光コネクタ１７から出力するかの信号経路を切り替える。
【００２２】
光カプラ１９は、ＬＤ１５から出力される信号光が、光コネクタ１７もしくはその先の何らかの反射点により戻ってきた反射戻り光を分岐して光モニタ１８に出力する。光モニタ１８は、光カプラ１９により分岐された反射戻り光のレベルをＯＥ変換することで光の強度を電気信号レベルとして監視する。
【００２３】
（第１の実施の形態の光増幅装置の効果）
本実施の形態による光増幅装置１０によれば、光増幅装置１０を、入力信号光を増幅する光増幅器１１と、光増幅器１１の入力信号光を監視して反射点による戻り光を検出する入力側反射光モニタ回路２０と、で構成することにより、光増幅器１１の出力側では勿論のこと、光増幅器１１の入力側でも反射光の監視を行い、入力側反射光モニタ回路２０が、光増幅器１１からの入力信号光もしくはＬＤ１５からの光出力に対する光コネクタ１４、もしくは光コネクタ１７およびその先の何らかの反射点により戻ってきた反射戻り光をモニタするため、光増幅器１１近傍にある反射点の有無を確認することができる。
【００２４】
なお、このとき、入力側反射光モニタ回路２０は、発光部（ＬＤ１５）と、発光部から入射した信号光の反射戻り光を分岐する分岐部（光カプラ１９）と、分岐された反射戻り光を検出する戻り光検出部（光モニタ１８）と、入力信号光を光増幅器に出力するか、分岐部に出力するかを切り替える光スイッチ部（光スイッチ１６）と、により構成される。
【００２５】
本実施の形態による光増幅器１０では、光伝送装置として、商用稼動を行うにあたり、事前に行われる局内光ファイバ接続工事をにおいて、光増幅器１１の出力側だけでなく入力側においても、反射戻り光のレベルを監視することができる。このことにより、仮に、反射戻り光が大きな場合は、光増幅装置１０から外線伝送路との接点となるコネクタ部までの間に反射点があることが推測されるため、その間にある光コネクタ接続箇所を清掃することで、反射点を無くすることが可能となる。
【００２６】
（第１の実施の形態の光伝送装置の構成）
以下、図２を参照しながら本実施の形態による光伝送装置１００について説明する。
【００２７】
図２は、本実施の形態による光伝送装置１００の構成を示すブロック図である。図２では、２個の光増幅装置１０Ａ、１０Ｂ間の接続構成例が示されている。
【００２８】
上述した２個の光増幅装置１０Ａ、１０Ｂが置かれている局舎内には、外線伝送路２１中との接点としてＦＤＰ２２、２３がある。通常、外線伝送路２１の反射点の有無についてはＯＴＤＲ測定器を用いてにより測定するが、そのとき通常は、このＦＤＰ２２、２３を端点として測定する。
【００２９】
（第１の実施の形態の光伝送装置の動作）
図２を参照すると、光増幅器１１Ａは、入力信号光を所望のレベルにまで増幅し、出力している。このとき、光増幅器１１Ａから出力される信号光の、光コネクタ１４Ａ、もしくはその先の何らかの反射点により戻ってきた反射戻り光の一部を、光カプラ１２Ａにより分岐し、反射光モニタ１３Ａに入力することで、反射戻り光のレベルを監視することができる。
【００３０】
一般的に、光コネクタ端が解放状態の場合、フレネル反射により、約−１５ｄＢ程度の反射戻り光が発生する。また、通常ＰＣ（Physical
Contact）接続された光コネクタ接続点での反射戻り光のレベルは−２５ｄＢ以下、ＳＰＣ（Super Physical Contact）接続された光コネクタ接続点での反射戻り光レベルの場合は−４０ｄＢ以下となる。
【００３１】
このため、外線伝送路２１との接点になる光コネクタ１４Ａに無反射コネクタ接続（反射戻り光レベル−５０ｄＢ以下）することで、局舎内での光コネクタ接続数から期待される反射戻り光レベルが算出されるため、その期待値を満足しない場合に、光コネクタ１４Ａでの汚れ、あるいは光コネクタ１４Ａでのコネクタ勘合状態が半勘合状態となっている可能性を推定できる。
【００３２】
一方、光増幅器１０Ｂの入力側においては、ＬＤ１５Ｂからの出力光を光コネクタ１７Ｂから出力するように光スイッチ１６Ｂの信号経路を切り替え、光増幅器１１ＢへはＬＤ１５Ｂから出力した信号光の光コネクタ１７Ｂ、もしくはその先の何らかの反射点により戻ってきた反射戻り光が入力されないようにする。
【００３３】
また、ＬＤ１５Ｂから出力される信号光が、光コネクタ１７Ｂ、もしくはその先の何らかの反射点により戻ってきた反射戻り光の一部を光カプラ１９Ｂにより光モニタ１８Ｂに入力することで、反射戻り光のレベルを監視することができる。このため、光コネクタ１７Ｂでの汚れ、および光コネクタ１７Ｂでのコネクタ勘合状態が半勘合状態になっている可能性を推定することができる。
【００３４】
（第１の実施の形態の光伝送装置の効果）
上述した光伝送装置１００によれば、光伝送装置１００を、入力信号光を所定のレベルに増幅して出力する第１の光増幅装１０Ａと、光増幅器の出力信号光を外線伝送路２１に繋げる光ファイバーケーブルに接続する第１の光コネクタ部（ＦＤＰコネクタ２２）と、外線伝送路２１が接続された第２の光コネクタ部（ＦＤＰコネクタ２３）と、第２の光コネクタ部（ＦＤＰコネクタ２３）から光ファイバーケーブル経由で光増幅器１０Ｂに供給される入力信号光を監視して反射点による戻り光を検出する第２の光増幅装置１０Ｂと、により構成することにより、光増幅器１１Ｂの入力側で反射戻り光を監視することができるため、外線伝送路２１との接点になるＦＤＰコネクタ２３までの反射の有無を確認することができる。
【００３５】
このように、局舎内で反射の有無を確認できることにより信号品質に影響を与える多重反射要因を排除することができる。仮に、反射戻り光が大きな場合は、外線伝送路２１との接点になるコネクタまでの光コネクタ接続箇所を清掃することで、反射点を無くすることが可能となり、運用コストの低減をはかることができる。
【００３６】
以上好ましい実施の形態と実施例をあげて本発明を説明したが、本発明は必ずしも、上述実施の形態及び実施例に限定されるものでなく、その技術的思想の範囲内において様々に変形して実施することができる。
【符号の説明】
【００３７】
１０、１０Ａ、１０Ｂ：光増幅装置
１１、１１Ａ、１１Ｂ：光増幅器
１２、１２Ａ：光カプラ
１３、１３Ａ：反射光モニタ
１４、１４Ａ光コネクタ
１５、１５Ｂ：ＬＤ
１６、１６Ｂ：光スイッチ
１７、１７Ｂ：光コネクタ
１８、１８Ｂ：光モニタ
１９、１９Ｂ：光カプラ
２０：入力側反射光モニタ回路
２１：外線伝送路
２２、２３：ＦＤＰコネクタ
１００：光伝送装置
【図１】
2010238959.tif 000003
【図２】
2010238959.tif 000004
【図３】
2010238959.tif 000005